(57)【要約】 【課題】  制御方式を簡易化できる光源駆動装置とその信号変換回路と、パルス制御回路を提供する。【解決手段】  第１制御信号と第２制御信号を発生するパルス制御回路、前記パルス制御回路に接続され、前記第１制御信号と前記第２制御信号に基づいて、第１スイッチング信号、第２スイッチング信号、第３スイッチング信号、及び第４スイッチング信号をそれぞれ出力する信号調整回路、及び前記信号調整回路と少なくとも１つの発光ユニットにそれぞれ接続され、前記第１スイッチング信号、前記第２スイッチング信号、前記第３スイッチング信号、及び前記第４スイッチング信号に基づいて、駆動信号を発生し、前記発光ユニットを駆動する駆動回路を含む光源駆動装置。【選択図】      図２
2008300348.tif 000002
【特許請求の範囲】
【請求項１】
第１制御信号と第２制御信号を発生するパルス制御回路と、
前記パルス制御回路に接続され、前記第１制御信号と前記第２制御信号に基づいて、第１スイッチング信号、第２スイッチング信号、第３スイッチング信号、及び第４スイッチング信号をそれぞれ出力する信号調整回路と、
前記信号調整回路と少なくとも１つの発光ユニットにそれぞれ接続され、前記第１スイッチング信号、前記第２スイッチング信号、前記第３スイッチング信号、及び前記第４スイッチング信号に基づいて、駆動信号を発生し、前記発光ユニットを駆動する駆動回路とを含む光源駆動装置。
【請求項２】
前記パルス制御回路は、
パルス幅変調信号を発生するプログラマブル周波数発生器と、
前記プログラマブル周波数発生器に接続され、前記パルス幅変調信号及び基準信号に基づいて第１比較信号と第２比較信号を発生する比較ユニットと、
フィードバック信号を受けるフィードバック制御器と、
前記比較ユニットと前記フィードバック制御器に接続され、前記フィードバック信号、前記第１比較信号、及び前記第２比較信号に基づいて前記第１制御信号と前記第２制御信号をそれぞれ出力するパルス発生ユニットとを含むことを特徴とする請求項１に記載の光源駆動装置。
【請求項３】
前記比較ユニットは、
その正入力端子が前記プログラマブル周波数発生器に接続され、その負入力端子が基準信号を受け、その出力端子が前記パルス発生ユニットに接続される第１比較器と、
その正入力端子が前記基準信号を受け、その負入力端子が前記プログラマブル周波数発生器に接続され、その出力端子が前記パルス発生ユニットに接続される第２比較器とを含むことを特徴とする請求項２に記載の光源駆動装置。
【請求項４】
前記第１制御信号と前記第２制御信号のデューティサイクル値は、前記パルス幅変調信号のデューティサイクルより小さいことを特徴とする請求項２に記載の光源駆動装置。
【請求項５】
前記フィードバック信号は、前記駆動ユニット、または前記発光ユニットの電圧信号または電流信号であることを特徴とする請求項２に記載の光源駆動装置。
【請求項６】
前記第１スイッチング信号と前記第３スイッチング信号の位相差は、１８０°であり、前記第２スイッチング信号と前記第４スイッチング信号の位相差は、１８０°であることを特徴とする請求項１に記載の光源駆動装置。
【請求項７】
前記第１制御信号と前記第２制御信号は、位相差を有することを特徴とする請求項１に記載の光源駆動装置。
【請求項８】
前記駆動回路は、
前記信号調整回路に接続され、前記第１スイッチング信号、前記第２スイッチング信号、前記第３スイッチング信号、及び前記第４スイッチング信号に基づいて、オンまたはオフにされるスイッチングユニットと、
前記スイッチングユニットに接続され、前記スイッチングユニットのオンまたはオフに基づいて前記駆動信号を発生する昇圧ユニットとを含むことを特徴とする請求項１に記載の光源駆動装置。
【請求項９】
前記スイッチングユニットは、
前記第１スイッチング信号を受けるゲート及び第２電圧に接続されるソース／ドレインを有する第１トランジスタと、
前記第２スイッチング信号を受けるゲート及び第１電圧に接続されるソース／ドレインと、前記第１トランジスタのドレイン／ソースに接続されるドレイン／ソースを有する第２トランジスタと、
前記第３スイッチング信号を受けるゲート及び前記第２電圧に接続されるソース／ドレインを有する第３トランジスタと、
前記第２スイッチング信号を受けるゲート及び前記第１電圧に接続されるソース／ドレインと、前記第３トランジスタのドレイン／ソースに接続されるドレイン／ソースを有する第４トランジスタとを含むことを特徴とする請求項８に記載の光源駆動装置。
【請求項１０】
前記第１トランジスタと前記第３トランジスタは、ＮＭＯＳトランジスタであり、前記第２トランジスタと前記第４トランジスタは、ＰＭＯＳトランジスタであることを特徴とする請求項９に記載の光源駆動装置。
【請求項１１】
前記昇圧ユニットは、その一次側が前記スイッチングユニットに接続され、その二次側が前記発光ユニットに接続される変圧器を含むことを特徴とする請求項８に記載の光源駆動装置。
【請求項１２】
前記昇圧ユニットは、前記スイッチングユニットと前記変圧器の一次側との間に接続される第１コンデンサを更に含むことを特徴とする請求項１１に記載の光源駆動装置。
【請求項１３】
前記信号調整回路は、
前記パルス制御回路に接続され、前記第１制御信号に基づいて前記第１スイッチング信号と前記第２スイッチング信号を発生する第１信号調整ユニットと、
前記パルス制御回路に接続され、前記第２制御信号に基づいて前記第３スイッチング信号と前記第４スイッチング信号を発生する第２信号調整ユニットとを含むことを特徴とする請求項１に記載の光源駆動装置。
【請求項１４】
前記第１信号調整ユニットは、
その第１端子が前記第１電圧に接続される第１ツェナーダイオードと、
前記第１ツェナーダイオードの両端に接続される第１レジスタと、
その第１端子が前記第１制御信号を受け、その第２端子が前記第１ツェナーダイオードの第２端子と前記駆動回路にそれぞれ接続される第２コンデンサとを含むことを特徴とする請求項１３に記載の光源駆動装置。
【請求項１５】
前記第１ツェナーダイオードの前記第１端子と第２電圧との間に接続される第４コンデンサを含むことを特徴とする請求項１４に記載の光源駆動装置。
【請求項１６】
前記第２信号調整ユニットは、
その第１端子が前記第１電圧に接続される第２ツェナーダイオードと、
前記第２ツェナーダイオードの両端に接続される第２レジスタと、
その第１端子が前記第２制御信号を受け、その第２端子が前記第２ツェナーダイオードの第２端子と前記駆動回路にそれぞれ接続される第３コンデンサとを含むことを特徴とする請求項１３に記載の光源駆動装置。
【請求項１７】
前記発光ユニットは、冷陰極蛍光管であることを特徴とする請求項１に記載の光源駆動装置。
【請求項１８】
パルス幅変調信号を発生するプログラマブル周波数発生器と、
前記プログラマブル周波数発生器に接続され、前記パルス幅変調信号と基準信号に基づいて第１比較信号と第２比較信号を発生する比較ユニットと、
フィードバック信号を受けるフィードバック制御器と、
前記比較ユニットと前記フィードバック制御器に接続され、前記フィードバック信号、前記第１比較信号、及び前記第２比較信号に基づいて前記第１制御信号と前記第２制御信号をそれぞれ出力するパルス発生ユニットとを含むパルス制御回路。
【請求項１９】
第１制御信号と第２制御信号を受け、第１スイッチング信号、第２スイッチング信号、第３スイッチング信号、及び第４スイッチング信号をそれぞれ出力する信号調整回路と、
前記信号調整回路に接続され、前記第１スイッチング信号、前記第２スイッチング信号、前記第３スイッチング信号、及び前記第４スイッチング信号に基づいて、駆動信号を発生する駆動回路とを含む信号変換回路。
【発明の詳細な説明】
【技術分野】
【０００１】
本発明は、光源駆動装置と、その信号変換回路とパルス制御回路に関するものである。
【背景技術】
【０００２】
液晶ディスプレイ（ＬＣＤ）は、従来の陰極線管（ＣＲＴ）ディスプレイに比べ、小型、低消費電力、低輻射を有し、且つ、液晶ディスプレイの製造プロセス技術が半導体の製造プロセス技術と適合できるなどの利点を有する。よって、液晶ディスプレイは、ＣＲＴディスプレイに取って代わり、近年のディスプレイの主流となってきている。
【０００３】
液晶ディスプレイは、自己発光性のディスプレイ装置ではなく、外部光源によって表示画面が必要な光源を提供しなければならない。一般的には、液晶ディスプレイは、バックライトモジュールを含み、ディスプレイパネルへの均一な光源を提供する。また、冷陰極蛍光管（ＣＣＦＬ）が長寿命、高輝度と、細型蛍光管などの利点を有することで、冷陰極蛍光管がバックライトモジュールとして広く用いられるようになっている。
【０００４】
従来技術では、ハーフブリッジ駆動回路とフルブリッジ駆動回路がバックライトモジュールの冷陰極蛍光管の駆動によく用いられる。ハーフブリッジ駆動回路とフルブリッジ駆動回路は、トランジスタの導通位相を変調することによって、冷陰極蛍光管の電圧と電流を制御し、冷陰極蛍光管の輝度を調整する。実際の応用では、ハーフブリッジ駆動回路は、二組の制御信号を必要とするだけで必要な駆動信号を発生することができるが、フルブリッジ駆動回路は、４組の制御信号がなければ、必要な駆動信号を発生することができない。しかし、フルブリッジ駆動回路は、より高い効率を提供して、それと電気接続された負荷を駆動することができる。
【０００５】
以下、フルブリッジ駆動回路の構成を簡略的に述べる（図１参照）。従来のフルブリッジ駆動回路１は、フルブリッジ構成ユニット１１、分離変圧器１３、及び制御ユニット１２を含む。フルブリッジ構成ユニット１１は、４つのトランジスタＱ０１〜Ｑ０４を含む。制御ユニット１２は、４つの制御信号を出力して、トランジスタＱ０１〜Ｑ０４のオンまたはオフをそれぞれ制御し、トランジスタＱ０１〜Ｑ０４のオン、オフによって電気信号を分離変圧器１３に伝送する。分離変圧器１３は、電気信号を駆動信号に変換し、それと電気接続された冷陰極蛍光管Ｌを駆動する。
【０００６】
上述を受けて、ハーフブリッジ駆動回路の構成は、２つのトランジスタだけを有し、且つ制御ユニットは２組の制御信号を出力するだけで負荷を駆動することができる。しかし、ハーフブリッジ駆動回路は、比較的簡単な回路構成を有するが、その駆動能力はフルブリッジ駆動回路に比べ、劣る。よって、如何にしてその利点を取り出してコストを低下し、且つ好ましい駆動能力を有することができるかが目下の重要な課題の１つである。
【発明の開示】
【発明が解決しようとする課題】
【０００７】
上述の課題に鑑みて、本発明の目的は、制御方式を簡易化できる光源駆動装置とその信号変換回路と、パルス制御回路を提供することにある。
【課題を解決するための手段】
【０００８】
よって、上述の目的を達成するため、本発明は、光源駆動装置を提供する。光源駆動装置は、パルス制御回路、信号調整回路、及び駆動回路を含む。パルス制御回路は、第１制御信号と第２制御信号を発生する。信号調整回路は、第１制御信号と第２制御信号を受け、第１スイッチング信号、第２スイッチング信号、第３スイッチング信号、及び第４スイッチング信号をそれぞれ出力する。駆動回路は、信号調整回路と少なくとも１つの発光ユニットにそれぞれ接続され、第１スイッチング信号、第２スイッチング信号、第３スイッチング信号、及び第４スイッチング信号に基づいて、駆動信号を発生し、発光ユニットを駆動する。
【０００９】
上述の目的を達成するため、本発明は、パルス制御回路を提供する。パルス制御回路は、プログラマブル周波数発生器、比較ユニット、フィードバック制御器、及びパルス発生ユニットを含む。プログラマブル周波数発生器は、パルス幅変調信号を発生し、比較ユニットに伝送する。比較ユニットは、パルス幅変調信号と基準信号に基づいて第１比較信号と第２比較信号を発生する。フィードバック制御器は、フィードバック信号を受ける。パルス発生ユニットは、比較ユニットとフィードバック制御器に接続され、フィードバック信号、第１比較信号、及び第２比較信号に基づいて第１制御信号と第２制御信号をそれぞれ出力する。
【００１０】
上述の目的を達成するため、本発明は、信号調整回路と駆動回路を含む信号変換回路を提供する。信号調整回路は、第１制御信号と第２制御信号を受け、第１スイッチング信号、第２スイッチング信号、第３スイッチング信号、及び第４スイッチング信号をそれぞれ出力する。駆動回路は、信号調整回路に接続され、第１スイッチング信号、第２スイッチング信号、第３スイッチング信号、及び第４スイッチング信号に基づいて駆動信号を発生する。
【発明の効果】
【００１１】
本発明の光源駆動装置とその信号変換回路とパルス制御回路は、信号調整回路によって第１制御信号と第２制御信号を第１スイッチング信号、第２スイッチング信号、第３スイッチング信号、及び第４スイッチング信号に変換し、駆動ユニットが含むトランジスタを駆動する。よって、本発明は、駆動能力を下げることなく、より簡易化した制御方式によって光源駆動装置とその信号変換回路とパルス制御回路を駆動することができる。
【発明を実施するための最良の形態】
【００１２】
本発明についての目的、特徴、長所が一層明確に理解されるよう、以下に実施形態を例示し、図面を参照にしながら、詳細に説明する。
【実施例】
【００１３】
図２に本発明の実施例の光源駆動装置２を示す。光源駆動装置２は、パルス制御回路２１、信号調整回路２３、及び駆動回路２２を含む。信号調整回路２３は、駆動回路２２とパルス制御回路２１との間に配置され、電気接続される。また、信号調整回路２３と駆動回路２２は、信号変換回路に統合される。
【００１４】
図３に本発明の実施例のパルス制御回路２１を示す。パルス制御回路２１は、プログラマブル周波数発生器２１１、比較ユニット２１２、フィードバック制御器２１３、及びパルス発生ユニット２１４を含む。パルス発生ユニット２１４は、フィードバック制御器２１３と比較ユニット２１２にそれぞれ接続され、比較ユニット２１２は、プログラマブル周波数発生器２１１に接続される。
【００１５】
プログラマブル周波数発生器２１１は、パルス幅変調信号Ｓ１を発生し、比較ユニット２１２に伝送する。パルス幅変調信号Ｓ１（図４（ａ）に示されるように）のデューティサイクル（ｄｕｔｙｃｙｃｌｅ）は、例えば５０％である。異なる実施例では、そのデューティサイクルは、必要に応じて任意に調整することができる。注意するのは、パルス幅変調信号Ｓ１は、プログラム可能な定周波数で出力可能である。
【００１６】
比較ユニット２１２は、第１比較器ＯＰ１と第２比較器ＯＰ２を含む。第１比較器ＯＰ１の正入力端子は、パルス幅変調信号Ｓ１を受け、負入力端子は、基準信号Ｖｒｅｆを受ける。第１比較器ＯＰ１の出力端子は、パルス幅変調信号Ｓ１と基準信号Ｖｒｅｆに基づいて第１比較信号Ｖａを出力し、パルス発生ユニット２１４に伝送する。
【００１７】
第２比較器ＯＰ２の正入力端子は、基準信号Ｖｒｅｆを受け、負入力端子は、パルス幅変調信号Ｓ１を受ける。第２比較器ＯＰ２の出力端子は、基準信号Ｖｒｅｆとパルス幅変調信号Ｓ１に基づいて第２比較信号Ｖｂを出力し、パルス発生ユニット２１４に伝送する。
【００１８】
本実施例では、第１比較器ＯＰ１は、正入力端子よりパルス幅変調信号Ｓ１を受け、第２比較器ＯＰ２は、負入力端子よりパルス幅変調信号Ｓ１を受ける。よって、第１比較信号Ｖａと第２比較信号Ｖｂは、位相差を有する。本実施例では、位相差は、１８０°であることができる。
【００１９】
フィードバック制御器２１３は、駆動回路２２または発光ユニット２４より伝送された少なくとも１つのフィードバック信号Ｆｂ１を受け、フィードバック信号Ｆｂ１をパルス発生ユニット２１４に伝送する。本実施例では、フィードバック信号Ｆｂ１は、電圧信号または電流信号であることができる。
【００２０】
パルス発生ユニット２１４は、フィードバック信号Ｆｂ１と第１比較信号Ｖａに基づいて、図４（ｂ）に示す第１制御信号Ｖ１を出力する。同じように、パルス発生ユニット２１４は、フィードバック信号Ｆｂ１と第２比較信号Ｖｂに基づいて、図４（ｃ）に示す第２制御信号Ｖ２を出力する。第１比較信号Ｖａと第２比較信号Ｖｂが位相差を有することから、第１制御信号Ｖ１と第２制御信号Ｖ２も位相差を有する。
【００２１】
図４に、パルス制御回路とスイッチングユニットの出力波形の概略図を示す。仮にパルス幅変調信号Ｓ１が立ち上がりにある時、第１制御信号Ｖ１は、ロジックハイレベル（ｌｏｇｉｃｈｉｇｈ ｖｏｌｔａｇｅ ｌｅｖｅｌ）となり、第２制御信号Ｖ２は、ロジックローレベル（ｌｏｇｉｃｌｏｗ ｖｏｌｔａｇｅ ｌｅｖｅｌ）となる。仮にパルス幅変調信号Ｓ１が立ち下がりにある時、第２制御信号Ｖ２は、ロジックハイレベルとなり、第１制御信号Ｖ１は、ロジックローレベルとなる。第１制御信号Ｖ１と第２制御信号Ｖ２のデューティサイクルは、フィードバック信号Ｆｂ１と関係がある。
【００２２】
以下、第１制御信号Ｖ１と第２制御信号Ｖ２のデューティサイクルとフィードバック信号Ｆｂ１との関係を説明する。図２と図３を同時に参照下さい。仮に駆動回路２２または発光ユニット２４より伝送された電流信号（または電圧信号）が大き過ぎた場合、フィードバック信号Ｆｂ１が大きくなり過ぎる。この時、パルス発生ユニット２１４によって第１制御信号Ｖ１と第２制御信号Ｖ２のデューティサイクルを下げ、駆動回路２２または発光ユニット２４の電流信号（または電圧信号）を設定値に戻すことができる。逆に駆動回路２２または発光ユニット２４の電流信号（または電圧信号）が小さ過ぎた場合、フィードバック信号Ｆｂ１が低くなり過ぎる。この時、パルス発生ユニット２１４によって第１制御信号Ｖ１と第２制御信号Ｖ２のデューティサイクルを上げ、駆動回路２２または発光ユニット２４の電流信号（または電圧信号）を設定値に戻すことができる。
【００２３】
また、実際の回路の動作を考慮し、回路の信頼度を保護するために、ロジックハイレベルとロジックローレベルを切り換える時、デッドタイム（ｄｅａｄｔｉｍｅ）が必要である。よって、本実施例では、仮にパルス幅変調信号のデューティサイクルが５０％である時、第１制御信号Ｖ１と第２制御信号Ｖ２のデューティサイクルは、４８％より小さくなり、光源駆動装置２が誤動作を生じることを防ぐ。
【００２４】
図２を参照下さい。信号調整回路２３は、第１信号調整ユニット２３１と第２信号調整ユニット２３２を含む。第１信号調整ユニット２３１は、第１制御信号Ｖ１に基づいて第１スイッチング信号Ｖ３と第２スイッチング信号Ｖ４を発生する。第１信号調整ユニット２３１は、第１ツェナーダイオードＤ１１、第１レジスタＲ１１、及び第１コンデンサＣ１１を含む。第１ツェナーダイオードＤ１１の第１端子は、第１電圧（例えば、電源電圧）に接続され、第１レジスタＲ１１は、第１ツェナーダイオードＤ１１の両端に接続される。
【００２５】
第２信号調整ユニット２３２は、第２制御信号Ｖ２に基づいて第３スイッチング信号Ｖ５と第４スイッチング信号Ｖ６を発生する。第１信号調整ユニット２３２は、第２ツェナーダイオードＤ１２、第２レジスタＲ１２、及び第２コンデンサＣ１２を含む。第２レジスタＲ１２の第１端子は、第１電圧に接続され、第２ツェナーダイオードＤ１２は、第２レジスタＲ１２の両端に接続される。
【００２６】
本発明では、第１スイッチング信号Ｖ３と第３スイッチング信号Ｖ５の位相差は、１８０°であり、第２スイッチング信号Ｖ４と第４スイッチング信号Ｖ６の位相差は、１８０°である。
【００２７】
続いて図２を参照下さい。駆動回路２２は、スイッチングユニット２２１と昇圧ユニット２２２を含む。スイッチングユニット２２１は、信号調整回路２３と昇圧ユニット２２２にそれぞれ接続される。スイッチングユニット２２１は、第１スイッチング信号Ｖ３、第２スイッチング信号Ｖ４、第３スイッチング信号Ｖ５と、第４スイッチング信号Ｖ６に基づいて、オンまたはオフを制御する。また、昇圧ユニット２２２は、スイッチングユニット２２１のオンまたはオフに基づいて駆動信号Ｓ２を発生する。
【００２８】
スイッチングユニット２２１は、第１トランジスタＱ１１、第２トランジスタＱ１２、第３トランジスタＱ１３、及び第４トランジスタＱ１４を含む。本実施例では、第１トランジスタＱ１１と第３トランジスタＱ１３は、ＮＭＯＳトランジスタであり、第２トランジスタＱ１２と第４トランジスタＱ１４は、ＰＭＯＳトランジスタである。
【００２９】
第１トランジスタＱ１１のゲートは、第１スイッチング信号Ｖ３を受け、そのソースは、第２電圧（例えば接地電圧）に接続される。第２トランジスタＱ１２のゲートは、第２スイッチング信号Ｖ４を受け、そのソースは、第１電圧に接続され、そのドレインは、第１トランジスタＱ１１のドレインに接続される。
【００３０】
第３トランジスタＱ１３のゲートは、第３スイッチング信号Ｖ５を受け、そのソースは、第２電圧に接続される。第４トランジスタＱ１４のゲートは、第４スイッチング信号Ｖ６を受け、そのソースは、第１電圧に接続され、そのドレインは、第３トランジスタＱ１３のドレインに接続される。
【００３１】
本実施例では、第１ツェナーダイオードＤ１１、第１レジスタＲ１１と、第１コンデンサＣ１１は、第２トランジスタＱ１２のレベルシフト回路である。第２ツェナーダイオードＤ１２、第２レジスタＲ１２と、第２コンデンサＣ１２は、第４トランジスタＱ１４のレベルシフト回路である。以下、レベルシフト回路の作用を説明する。
【００３２】
図２と図４を同時に参照下さい。仮に第１制御信号Ｖ１が正パルスの場合、第１信号調整ユニット２３１は、正パルスの第２スイッチング信号Ｖ４を発生し、第２トランジスタＱ１２をオフにする。同じように、第１制御信号Ｖ１が負パルスの場合、第１信号調整ユニット２３１は、負パルスの第２スイッチング信号Ｖ４を発生し、第２トランジスタＱ１２をオンにする。
【００３３】
第１制御信号Ｖ１は、第１トランジスタＱ１１と第２トランジスタＱ１２のオン状態を逆にさせる。即ち、第１トランジスタＱ１１がオンの時、第２トランジスタＱ１２がオフになる。上述の説明に基づいて、図４（ｄ）に示されるように、スイッチングユニット２２１の出力は、信号が昇圧ユニット２２２を経た後、交流の駆動信号Ｓ２を発生する。
【００３４】
注意しなければならないのは、本実施例では、１つの制御信号を用いるだけで、一組のＮＭＯＳトランジスタとＰＭＯＳトランジスタを制御することができる。よって、本発明は、２つの制御信号によって二組のＮＭＯＳトランジスタとＰＭＯＳトランジスタを同時に制御することができる。
【００３５】
図２を続けて参照下さい。昇圧ユニット２２２は、変圧器Ｔ１を含む。変圧器Ｔ１の一次側は、スイッチングユニット２２１に接続され、その二次側は、発光ユニット２４に接続される。また、変圧器Ｔ１は、スイッチングユニット２２１の出力に基づいて駆動信号Ｓ２を発生し、発光ユニット２４を駆動する。本実施例では、発光ユニット２４は、冷陰極蛍光管を例にしている。
【００３６】
本発明の昇圧ユニット２２２は、第３コンデンサＣ１３を更に含む。第３コンデンサＣ１３は、スイッチングユニット２２１と変圧器Ｔ１の一次側との間に接続され、定常流として用いられる。
【００３７】
また、本発明の光源駆動装置２は、第４コンデンサＣ１４を更に含み、第２ツェナーダイオードＤ１２の第１端と第２電圧との間に接続され、昇圧ユニット２２２より出力された駆動信号Ｓ２を安定させる。
【００３８】
本発明の光源駆動装置とその信号変換回路とパルス制御回路は、信号調整回路によって第１制御信号と第２制御信号を第１スイッチング信号、第２スイッチング信号、第３スイッチング信号と、第４スイッチング信号に変換し、駆動ユニットが含むトランジスタを駆動する。よって、本発明は、駆動能力を下げることなく、より簡易化した制御方式によって発光ユニットを駆動することができ、且つコストを効果的に制御することができる。
【００３９】
以上、本発明の好適な実施例を例示したが、これは本発明を限定するものではなく、本発明の思想及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００４０】
【図１】従来のフルブリッジ駆動回路の概略図を表している。
【図２】本発明の実施例の光源駆動装置の概略図を表している。
【図３】図２に基づいたパルス制御回路の概略図を表している。
【図４】パルス制御回路とスイッチングユニットの出力波形の概略図を表している。
【符号の説明】
【００４１】
１  フルブリッジ駆動回路
１１  フルブリッジ構成ユニット
１２  制御ユニット
１３  分離変圧器
２  光源駆動装置
２１  パルス制御回路
２１１  プログラマブル周波数発生器
２１２  比較ユニット
２１３  フィードバック制御器
２１４  パルス発生ユニット
ＯＰ１、ＯＰ２  比較器
２３  信号調整回路
２３１、２３２  信号調整ユニット
２２  駆動回路
２２１  スイッチングユニット
２２２  昇圧ユニット
Ｔ１  変圧器
２４  発光ユニット
Ｄ１１、Ｄ１２  ツェナーダイオード
Ｒ１１、Ｒ１２  レジスタ
Ｓ１  パルス幅変調信号
Ｓ２  駆動信号
Ｖａ、Ｖｂ  比較信号
Ｆｂ１  フィードバック信号
Ｌ  負荷
Ｖ１〜Ｖ６  制御信号
Ｃ１１〜Ｃ１４  第１コンデンサ
Ｑ０１〜Ｑ０４、Ｑ１１〜Ｑ１４  トランジスタ
【図１】
2008300348.tif 000003
【図２】
2008300348.tif 000004
【図３】
2008300348.tif 000005
【図４】
2008300348.tif 000006